(57)【特許請求の範囲】
【請求項１】
互いに交差する複数の走査電極と複数の信号電極の両電極間に電気光学材料が挟持され、前記走査電極を複数本毎に同時選択する電気光学装置の駆動方法であって、
前記走査電極の各々に対して、
静止画表示の場合には、選択電圧を１フレーム期間において時間的に分散させて印加し、
動画表示の場合には、前記選択電圧を１フレーム期間において時間的に集約させて印加することを特徴とする電気光学装置の駆動方法。
【請求項２】
前記静止画の場合における１フレーム期間を、前記動画表示の場合における１フレーム期間よりも長く設定することを特徴とする請求項１記載の電気光学装置の駆動方法。
【請求項３】
前記静止画表示から前記動画表示または前記動画表示から前記静止画表示へ移行するタイミングは、１フレーム期間の先頭タイミングとすることを特徴とする請求項１記載の電気光学装置の駆動方法。
【請求項４】
前記静止画表示から前記動画表示または前記動画表示から前記静止画表示へ移行する際には、
前記複数の信号電極に対し、表示すべき内容にかかわらず、オンまたはオフ表示させる信号電圧を、少なくとも１フレーム期間以上印加することを特徴とする請求項１または３記載の電気光学装置の駆動方法。
【請求項５】
互いに交差する複数の走査電極と複数の信号電極の両電極間に電気光学材料が挟持されてなる電気光学装置の駆動回路であって、
前記走査電極を複数本毎に同時選択する選択電圧が前記走査電極に印加され、
前記走査電極の各々に対しては、
静止画表示の場合には、前記選択電圧が１フレーム期間において時間的に分散させて印加され、
動画表示の場合には、前記選択電圧が１フレーム期間において時間的に集約させて印加されることを特徴とする電気光学装置の駆動回路。
【請求項６】
前記静止画表示の場合における１フレーム期間が、前記動画表示の場合における１フレーム期間よりも長く設定されることを特徴とする請求項５記載の電気光学装置の駆動回路。
【請求項７】
前記静止画表示から前記動画表示または前記動画表示から前記静止画表示へ移行するタイミングが、１フレーム期間の先頭タイミングとされることを特徴とする請求項５記載の電気光学装置の駆動回路。
【請求項８】
前記静止画表示から前記動画表示または前記動画表示から前記静止画表示へ移行する際には、
前記複数の信号電極に対し、表示すべき内容にかかわらず、オンまたはオフ表示させる信号電圧が、少なくとも１フレーム期間以上印加されることを特徴とする請求項５または７記載の電気光学装置の駆動回路。
【請求項９】
互いに交差する複数の走査電極と複数の信号電極との両電極間に電気光学材料が挟持され、前記走査電極を複数本毎に同時選択する電気光学装置であって、
前記走査電極の各々に対して、静止画表示の場合には、選択電圧を１フレーム期間において時間的に分散させて印加し、動画表示の場合には、前記選択電圧を１フレーム期間において時間的に集約させて印加する走査電極駆動回路と、
前記信号電極の各々に対して、信号電圧を、少なくとも前記走査電極に印加される選択電圧と表示すべき内容とに応じて印加する信号線駆動回路と、
を具備することを特徴とする電気光学装置。
【請求項１０】
前記静止画表示の場合における１フレーム期間を、前記動画表示の場合における１フレーム期間よりも長く設定することを特徴とする請求項９記載の電気光学装置。
【請求項１１】
前記静止画表示から前記動画表示または前記動画表示から前記静止画表示へ移行するタイミングは、１フレーム期間の先頭タイミングとすることを特徴とする請求項９記載の電気光学装置。
【請求項１２】
前記静止画表示から前記動画表示または前記動画表示から前記静止画表示へ移行する際には、
前記複数の信号電極に対し、表示すべき内容にかかわらず、オンまたはオフ表示させる信号電圧を、少なくとも１フレーム期間以上印加することを特徴とする請求項９または１１記載の電気光学装置。
【請求項１３】
請求項９乃至１２に記載の電気光学装置を表示部に用いることを特徴とする電子機器。
【発明の詳細な説明】
【０００１】
【発明の属する技術分野】
本発明は、静止画等を高コントラストで表示する一方、動画等のいわゆる輝度ムラの少ない状態で表示が可能な電気光学装置の駆動方法、電気光学装置の駆動回路、電気光学装置および電子機器に関する。
【０００２】
【従来の技術】
一般に、マトリクス型の電気光学装置にあっては、駆動方式や電極構成などによって種々のタイプに分類することができるが、一方の基板に複数の走査電極が形成され、他方の基板に複数の信号電極が形成され、さらに、これら両基板の間に電気光学材料が挟持されて、両電極間の電位差による電気光学変化を用いて表示等を行うタイプが、最も簡易な構成といえる。
【０００３】
さて、このような構成において高コントラストを図るために、さらに、駆動電圧を比較的低く抑えるために、複数本の走査電極を同時に選択し、かつ、その選択期間を１フレームにおいて複数回に分けて駆動する方法が知られている。この駆動方法によれば、ある画素に対しては、１フレームにおいて複数回に分けて選択電圧が印加されるので、１フレーム毎に１回だけ選択電圧を印加する方式と比較して、オン表示画素の輝度変化が抑えられる結果、コントラストの低下を防止する面において有効である。
【０００４】
【発明が解決しようとする課題】
しかしながら、上記駆動方法においては、動画やスクロールなど、画像に動きがある表示を行う場合（すなわち、相隣接するフレームの表示データが互いに異なる場合）には、いわゆる輝度ムラが発生し、画面がチラツクという問題があった。
【０００５】
本発明は、上述した問題に鑑みてなされたもので、その目的とするところは、動きのある表示を行う場合にあっても、輝度ムラの発生を抑えることが可能な電気光学装置の駆動方法、電気光学装置の駆動回路、電気光学装置および電子機器を提供することにある。
【０００６】
【課題を解決するための手段】
上記目的を達成するために本発明に係る駆動方法は、互いに交差する複数の走査電極と複数の信号電極の両電極間に電気光学材料が挟持され、前記走査電極を複数本毎に同時選択する電気光学装置の駆動方法であって、前記走査電極の各々に対して、静止画表示の場合には、選択電圧を１フレーム期間において時間的に分散させて印加し、動画表示の場合には、前記選択電圧を１フレーム期間において時間的に集約させて印加することを特徴としている。
【０００７】
本発明によれば、静止画表示の場合には、選択電圧が１フレーム期間において時間的に分散されて印加されるので、１フレームにおいて１回だけ選択を行う従来方法と比較して非選択期間が短くなる。このため、オン表示画素の輝度変動が少なくなるので、コントラストの低下が防止される。一方、動画表示の場合には、選択電圧が１フレームにおいて時間的に集約されて印加されるので、非選択期間における画素の輝度は、どの画素においても一様に変化する。このため、いわゆる輝度ムラが抑えられることとなる。
【０００８】
ここで、本発明において、画像に動きがない場合には各フレームにおける表示内容は同じであるから、ある信号電極に印加される電圧実効値の変動は各フレームにおいて互いに等しくなる。このため、選択電圧が１フレーム期間において時間的に分散されて印加された場合に、画素の輝度変化は、ある信号電極と交差する画素にわたって互いに等しくなるので、輝度ムラが抑えられる。一方、画像に動きがある場合には各フレームにおける表示内容は互いに異なるので、ある信号電極に印加される電圧実効値の変動は各フレームにおいて互いに異なるが、非選択期間における画素の輝度は、どの画素においても一様に変化するので、輝度ムラが抑えられることとなる。
【０００９】
また、本発明において、前記静止画表示の場合における１フレーム期間を、前記動画表示の場合における１フレーム期間よりも長く設定することが望ましい。上述したように、静止画表示の場合では、１フレームにおいて１回だけ選択を行う従来方法と比較して、オン表示画素の輝度変動が少ない範囲に抑えられるので、１フレーム期間を多少長くしても、フリッカの少ない高コントラストの表示が可能である。さらに、１フレーム期間を長くすると、駆動周波数も低くなるので、それに起因して消費される電力も低く抑えることが可能となる。
【００１０】
一方、本発明において、前記静止画表示から前記動画表示または前記動画表示から前記静止画表示へ移行する際には、前記複数の信号電極に対し、表示すべき内容にかかわらず、オンまたはオフ表示させる信号電圧を、少なくとも１フレーム期間以上印加することが望ましい。何ら操作を加えることなく、選択電圧の印加方法を変更すると、変更の発生したフレームにおいて表示画像が乱れるが、本発明によれば、このような表示画像の乱れを未然に防止することができる。
【００１１】
なお、上記本発明は、電気光学装置の駆動回路として実現することができる。すなわち、互いに交差する複数の走査電極と複数の信号電極の両電極間に電気光学材料が挟持されてなる電気光学装置の駆動回路であって、前記走査電極を複数本毎に同時選択する選択電圧が前記走査電極に印加され、前記走査電極の各々に対しては、静止画表示の場合には、前記選択電圧が１フレーム期間において時間的に分散させて印加され、動画表示の場合には、前記選択電圧が１フレーム期間において時間的に集約させて印加されることを特徴とする。
【００１２】
また、上記目的を達成するために本発明に係る電気光学装置は、互いに交差する複数の走査電極と複数の信号電極との両電極間に電気光学材料が挟持され、前記走査電極を複数本毎に同時選択する電気光学装置であって、前記走査電極の各々に対して、静止画表示の場合には、選択電圧を１フレーム期間において時間的に分散させて印加し、動画表示の場合には、前記選択電圧を１フレーム期間において時間的に集約させて印加する走査電極駆動回路と、前記信号電極の各々に対して、信号電圧を、少なくとも前記走査電極に印加される選択電圧と表示すべき内容とに応じて印加する信号線駆動回路と、を具備することを特徴としている。この構成によれば、上述した理由により、静止画表示の場合にはコントラストの低下が防止される一方、動画表示の場合には輝度ムラが抑えられることとなる。
【００１３】
くわえて、上記目的を達成するために本発明に係る電子機器にあっては、上記電気光学装置を表示部に用いることを特徴としている。したがって、この電子機器によれば、静止画表示の場合にはコントラストの低下が防止される一方、動画表示の場合には輝度ムラが抑えられた表示が可能となる。
【００１４】
【発明の実施の形態】
以下、本発明の実施の形態について図面を参照して説明する。
【００１５】
＜電気光学装置の構成＞
はじめに、本発明の実施形態に係る電気光学装置について、電気光学材料に液晶を用いた液晶装置を例にとって説明する。この図に示されるように、液晶装置たる液晶パネル１００には、複数ｍ本の走査（コモン）電極Ｙ１〜Ｙｍが行方向に延在して形成される一方、複数ｎ本の信号（セグメント）電極Ｘ１〜Ｘｎが列方向に延在して形成されている。ここで、液晶パネル１００では、一対の基板のうち、一方の基板に走査電極Ｙ１〜Ｙｍが、他方の基板に信号電極Ｘ１〜Ｘｎがそれぞれ形成されるとともに、両基板の間に液晶が挟持された構成となっている。したがって、各画素は、走査電極Ｙ１〜Ｙｍと信号電極Ｘ１〜Ｘｎとの各交差部分において、両電極間とその間に挟持される液晶とにより構成されて、ｍ行ｎ列でマトリクス状に配列することになる。また、走査電極駆動回路１２０は、各走査電極Ｙ１〜Ｙｍをそれぞれ駆動するものであり、信号電極駆動回路１４０は、各信号電極Ｘ１〜Ｘｎをそれぞれ駆動するものである。
【００１６】
ここで、液晶が例えばＴＮ（Ｔｗｉｓｔｅｄ  Ｎｅｍａｔｉｃ）型であれば、液晶分子の長軸方向が両基板間で約９０度連続的にねじれるような配向処理が施される。そして、配向処理によって両電極間を通過する光は、電圧無印加状態の場合には、液晶分子のねじれに沿って約９０度旋光する一方、電圧印加状態の場合には、液晶分子が電界方向に傾く結果、電圧無印加状態の旋光性が消失する。このため、液晶パネル１００が例えば透過型であれば、前面側と背面側とに、偏光軸が互いに直交（平行）する偏光子をそれぞれ配置させることで、電圧無印加状態で光が透過（遮断）する一方、電圧印加状態で光が遮断（透過）することになる。したがって、各画素毎に印加される電圧を、走査電極駆動回路１２０および信号電極駆動回路１４０によって制御することによって、所定の表示が可能となっている。
【００１７】
また、液晶分子が１８０°以上のねじれ配向を有するＳＴＮ（スーパーツイステッドネマチック）型液晶で、一対の基板の外側に各々偏光板を配置し、少なくとも一方の偏光板と基板との間には、液晶層において生ずる光の着色を補償する位相差板が配置された液晶装置等でも同様に表示が可能である。
【００１８】
このように、液晶材料は、本発明の駆動方法に適合できるものであれば、種々選択して用いることができる。
【００１９】
一方、ＣＰＵ（Ｃｅｎｔｒａｌ  Ｐｒｏｃｅｓｓｉｎｇ  Ｕｎｉｔ）１７０は、信号電極駆動回路１４０に対しては、表示内容を規定する表示データＤＡＴＡを、書込アドレスＷａｄとともに供給し、制御回路１８０に対しては、液晶パネル１００の動作モードを規定する信号ｍｏｄｅを供給することによって、液晶パネル１００の表示内容やその動作モードなどを制御するものである。また、制御回路１８０は、走査電極駆動回路１２０および信号電極駆動回路１４０の各々に対し、信号ｍｏｄｅにより規定されるモードにしたがって各種の制御信号（必要に応じて後述する）やクロック信号などを生成・供給するものである。
【００２０】
また、電源回路１９０は、走査電極の印加電圧（走査電圧という。走査電圧は選択電圧と非選択電圧とからなる。）として用いられる±Ｖ３（選択電圧）、Ｖｃ（非選択電圧）を生成して走査電極駆動回路１２０に供給するとともに、信号電極の印加電圧（信号電圧）として用いられる±Ｖ２、±Ｖ１、Ｖｃを生成して信号電極駆動回路１４０に供給するものである。なお、電圧Ｖｃとは、データ信号として用いる電圧±Ｖ２、±Ｖ１の中間値電圧であって、極性の基準となる電圧である。このため、本実施形態において正極側とは電圧Ｖｃよりも高位をいい、負極側とは電圧Ｖｃよりも低位をいう。また、走査電極駆動回路１２０や、信号電極駆動回路１４０、制御回路１８０および電源回路１９０にあっては、集積化して１チップとして構成することが可能である。このように構成すると、液晶パネル１００の実装や回路規模の縮小の面などにおいて有利となる。
【００２１】
＜制御回路＞
まず、本実施形態にあっては、静止画表示モードおよび動画表示モードの２つの動作モードを備え、信号ｍｏｄｅの受信によって、いずれか一方のモードから他方のモードへ移行する構成となっている。これら２つのモードのうち、静止画表示モードとは、静止画など動きの少ない画像を表示する場合に用いられるモードである。また、本実施形態においては、駆動方法として、複数本の走査電極を同時に選択し、それを複数本の走査電極毎に順次選択して、１フレーム期間内で各走査電極を複数回選択する、所謂マルチラインセレクション（Ｍｕｌｔｉ−Ｌｉｎｅ  Ｓｅｌｅｃｔｉｏｎ：ＭＬＳ）方式の駆動方法を用いている。したがって、図５に示されるように、１フレームを４等分した各期間１ｆ（フィールド）のそれぞれにおいて、走査電極が順次４本毎に同時に選択される。
【００２２】
詳細には、静止画表示モードは、走査電極の選択において正規性および直交性を維持しながら、選択期間を時間的に１フレーム内に均等分散するとともに、走査電極を特定本数（本実施形態では「４」）の組にして同時に選択して、空間的に分散したものである。ここで、「正規性」とは、すべての走査電極に印加される選択電の実効値がフレーム周期単位において互いに等しくなることを意味し、また、「直交性」とは、ある走査電極に印加される電圧振幅と、他の任意の走査電極に印加される電圧振幅とを１フレーム分、積和した結果がゼロになることを意味する。
【００２３】
一方、動画表示モードとは、動画やスクロールなどのように動きの多い画像を表示する場合に用いられるモードであり、図６に示されるように、静止画表示モードにおいて時間的に分散させた選択期間が集約されている。すなわち、動画表示モードは、走査電極の選択において正規性および直交性を維持している点、および、走査電極を特定本数の組にして同時に選択して、空間的に分散した点において、静止画表示モードと同様であるが、選択期間を時間的に１フレーム内に集約した点において、静止画表示モードと相違している。
【００２４】
なお、静止画表示モードにあっても動画表示モードにあっても、交流駆動される点は共通である。すなわち、両モードにあって、ある第（ｉ＋１）フレームにおいて、ある走査電極に印加される電圧は、その前の第ｉフレームにおいてその走査電極に印加された電圧に対して、電圧Ｖｃを基準にして反転される関係となっている。従って、電圧Ｖｃより高電位側を正極性、低電位側を負極性とする。
【００２５】
さて、このような静止画表示モードと動画表示モードとの両モードに対応するため、走査電極駆動回路１２０および信号電極駆動回路１４０のそれぞれに各種の制御信号を供給する制御回路１８０は、図２に示される構成となっている。まず、図において、発振回路１８０２は、液晶パネル１００を駆動する際に動作の基準となるクロック信号を生成するものである。
【００２６】
次に、分周回路Ａ１８０４および分散用制御信号生成回路１８１４は、それぞれ静止画表示モードに対応して設けられたものである。このうち、前者の分周回路Ａ１８０４は、発振回路１８０２によるクロック信号を分周するものであり、後者の分散用制御信号生成回路１８１４は、分周されたクロック信号に基づいて静止画表示モードで用いられる制御信号等を生成するものである。
【００２７】
ここで、分散用制御信号生成回路１８１４は、分周回路Ａ１８０４により分周されたクロック信号にしたがって、次のような制御信号を生成・出力する。すなわち、分散用制御信号生成回路１８１４は、第１に、各フレームの最初に開始パルスＹＤ１を出力し、第２に、１フレームを４等分した各期間１ｆの最初において、４本の走査電極の選択を指示する選択データＳＤを出力し、第３に、４本の走査電極を同時選択する選択期間（１Ｈ）毎にラッチパルスＬＰを出力し、第４に、選択された走査電極に対して印加すべき電圧の極性を指示する極性データＰＳを出力する。
【００２８】
なお、本実施形態では、４本の走査電極を同時に選択するので、分散用制御信号生成回路１８１４による極性データＰＳは、これら４本の走査電極に対応したＰＳ１〜ＰＳ４から構成される。また、静止画表示モードでは、選択期間が１フレームにおいて４つの期間に時間的に分散しているので、分散用制御信号生成回路１８１４による極性データＰＳ１〜ＰＳ４は、１フレームを４等分した各期間１ｆ毎に出力される。さらに、交流駆動であるので、分散用制御信号生成回路１８１４による極性データＰＳ１〜ＰＳ４の極性は、１フレーム毎に反転される。
【００２９】
一方、分周回路Ｂ１８０６および非分散用制御信号生成回路１８１６は、それぞれ動画表示モードに対応して設けられたものである。このうち、前者の分周回路Ｂ１８０６は、発振回路１８０２によるクロック信号を分周するものであり、後者の非分散用制御信号生成回路１８１６は、分周されたクロック信号に基づいて動画表示モードで用いられる制御信号等を生成するものである。
【００３０】
ここで、非分散用制御信号生成回路１８１６は、分周回路Ｂ１８０６により分周されたクロック信号にしたがって、次のような制御信号を生成・出力する。すなわち、非分散用制御信号生成回路１８１６は、第１に、各フレームの最初に開始パルスＹＤ２を出力し、第２に、各フレームの最初において、４本の走査電極の選択を指示する選択データＳＤを出力し、第３に、４本の走査電極を同時選択する選択期間（１Ｈ）毎にラッチパルスＬＰを出力し、第４に、選択された走査電極に対して印加すべき選択電圧の極性を指示する極性データＰＳを出力する。
【００３１】
なお、本実施形態では、４本の走査電極を同時に選択するので、非分散用制御信号生成回路１８１４による極性データＰＳも、これら４本の走査電極に対応したＰＳ１〜ＰＳ４から構成される。また、動画表示モードでは、選択期間が１フレームにおいて時間的に集中しているので、非分散用制御信号生成回路１８１４による極性データＰＳ１〜ＰＳ４は、４本の走査電極が同時選択される選択期間（１Ｈ）において４回に分けて出力される。さらに、交流駆動であるので、非分散用制御信号生成回路１８１６による極性データＰＳ１〜ＰＳ４についても１フレーム毎に極性が反転される。
【００３２】
ここで、本実施形態にあっては、分周回路Ａ１８０４の出力周波数は、分周回路Ｂ１８０６の出力周波数よりも低くなるように設定されているので、分散用制御信号生成回路１８１４により規定される１フレームの周期は、非分散用制御信号生成回路１８１４により規定される１フレームの周期よりも長くなる（図５および図６参照）。
【００３３】
さて、モードセット回路１８２０は、分散用制御信号生成回路１８１４による制御信号、または、非分散用制御信号生成回路１８１６による制御信号のいずれかの選択を指示する選択信号ＭＳを出力するものである。ここで、モードセット回路１８２０は、信号ｍｏｄｅを受信すると、少なくとも１フレーム経過した後に、フレームの先頭において選択信号ＭＳを切り替える構成となっている。このため、モードセット回路１８２０は、各表示モードにおいてフレームの先頭を知る必要があるので、分散用制御信号生成回路１８１４による開始パルスＹＤ１、および、非分散用制御信号生成回路１８１６による開始パルスＹＤ２を、それぞれ受信する構成となっている。さらに、モードセット回路１８２０は、信号ｍｏｄｅを受信したフレームの次の１フレームにおいてＬレベルとなる信号ＯＦＦを出力する機能も有している。
【００３４】
そして、モード切替回路１８３０は、選択信号ＭＳにしたがって、分散用制御信号生成回路１８１４による制御信号、または、非分散用制御信号生成回路１８１６による制御信号のいずれかを、実際に選択して、走査電極駆動回路１２０および信号電極駆動回路１４０のそれぞれに供給するものである。なお、説明の便宜上、モード切替回路１８３０においては、選択信号ＭＳがＬレベルである場合に、分散用制御信号生成回路１８１４による制御信号が選択されることとし、選択信号ＭＳがＨレベルである場合に、非分散用制御信号生成回路１８１６による制御信号が選択されることとする。
【００３５】
また、本実施形態にあっては、上述したように分周回路Ａ１８０４の出力周波数と分周回路Ｂ１８０６の出力周波数とが互いに異なるので、表示モードの切替タイミング（選択信号ＭＳのレベル遷移タイミング）は、必ずしも、移行後のモードにおいて、フレームの先頭であるとは限らない。このため、本実施形態では、分散用制御信号生成回路１８１４は、選択信号ＭＳの立ち下がり時において（すなわち、動画表示モードから静止画表示モードに切り替わるタイミングにおいて）、強制的に１フレームの先頭とするリセットを行う一方、非分散用制御信号生成回路１８１６は、選択信号ＭＳの立ち上がり時において（すなわち、静止画表示モードから動画表示モードに切り替わるタイミングにおいて）、強制的に１フレームの先頭とするリセットを行う構成となっている。
【００３６】
＜走査電極駆動回路＞
次に、走査電極駆動回路１２０の構成について説明する。図３は、走査電極駆動回路１２０の構成を示すブロック図である。この図において、シフトレジスタ１２０２は、走査電極数に対応するｍビットシフトレジスタであり、制御回路１８０から供給された選択データＳＤを、ラッチパルスＬＰによって選択期間（１Ｈ）毎に順次シフトして出力する。ここで、シフトレジスタ１２０２による各ビットの転送信号は、各走査電極にそれぞれ１対１に対応して、同時に選択すべき４本の走査電極を指定するものである。本実施形態では、上述した静止画表示モード、動画表示モードのいずれのモードにあっても、４本の走査電極が選択期間（１Ｈ）毎に順次指定される構成となっているので、例えば、１フレームの最初の選択期間（１Ｈ）では、走査電極Ｙ１〜Ｙ４が選択され、次の選択期間（１Ｈ）では、走査電極Ｙ５〜Ｙ８が選択されることとなる。  続いて、デコーダ１２０４は、シフトレジスタ１２０２により指定された４本の走査電極の各々に対しては、極性データＰＳ１〜ＰＳ４にしたがって、選択電圧Ｖ３または−Ｖ３の選択を指示する電圧選択信号を出力する一方、その他の走査電極に対しては、電圧Ｖｃの選択を指示する電圧選択信号を出力するものである。
【００３７】
さて、レベルシフタ１２０６は、デコーダ１２０４によって出力される電圧選択信号の電圧振幅を拡大するものである。そして、セレクタ１２０８は、電圧振幅が拡大された電圧選択信号によって指示される選択電圧を、実際に選択して、対応する走査電極に印加するものである。
【００３８】
このような構成の走査電極駆動回路１２０によれば、各走査電極Ｙ１〜Ｙｍに印加される電圧波形は、静止画表示モードであれば、１フレームを４等分した各期間１ｆの最初において、４本の走査電極の選択を指示する選択データＳＤが供給されて、これがラッチパルスＬＰによって選択期間（１Ｈ）毎に順次転送されるとともに、極性データＰＳ１〜ＰＳ４が各期間１ｆ毎に供給されるので、例えば、図５に示される通りとなる。一方、動画表示モードであれば、１フレームの最初においてのみ、４本の走査電極の選択を指示する選択データＳＤが供給されて、これがラッチパルスＬＰによって選択期間（１Ｈ）毎に順次転送されるとともに、極性データＰＳ１〜ＰＳ４が各選択期間（１Ｈ）毎に４回に分けて供給されるので、例えば、図６に示される通りとなる。
【００３９】
＜信号電極駆動回路＞
次に、信号電極駆動回路１４０の構成について説明する。図４は、信号電極駆動回路１４０の構成を示すブロック図である。この図において、アドレス制御回路１４０２は、表示データの読み出しに用いる４行分の行アドレスＲａｄを生成するためのものであり、当該４行分の行アドレスＲａｄを、開始パルスＹＤによりリセットするとともに、選択期間（１Ｈ）毎に供給されるラッチパルスＬＰで４行毎に歩進させる構成となっている。したがって、例えば、アドレス制御回路１４０２は、１フレームの最初の選択期間（１Ｈ）では、第１行〜第４行の行アドレスＲａｄを生成し、次の選択期間（１Ｈ）では、第５行〜第８行の行アドレスＲａｄを生成することになる。
【００４０】
続いて、表示メモリ１４０４は、少なくともｍ行×ｎ列の画素に対応する記憶領域を有するデュアルポートＲＡＭであり、書き込み側では、表示データＤＡＴＡが書込アドレスＷａｄで指定された番地に書き込まれる一方、読み出し側では、アドレスＲａｄで指定された番地の表示データが４行分読み出される構成となっている。したがって、表示メモリ１４０４からは、４行×ｎ列分の表示データが選択期間（１Ｈ）毎に読み出される構成となっている。すなわち、１列分についてみれば、４つの表示データが読み出されることになる。そこで、説明の便宜上、１列ついての４つの表示データを、信号電極Ｘ１〜Ｘｎの各列に対応して、ａ１〜ａｎと表記することとする。
【００４１】
次に、演算回路１４０６は、表示メモリ１４０４から読み出された表示データａ１〜ａｎから、信号電極Ｘ１〜Ｘｎの各々に印加すべき電圧を選択させる電圧選択信号を生成して出力するものであり、信号電極Ｘ１〜Ｘｎの各列に対応して、ゲート回路群１４０６ａと検出回路１４０６ｂとデコーダ１４０６ｃとを備える。ここで、１列分のゲート回路群１４０６ａは、４つのＡＮＤ回路からなり、４つの表示データのそれぞれと、モードセット回路１８２０（図２参照）による信号ＯＦＦとの各論理積を求めるものである。このため、制御回路１８０が信号ｍｏｄｅを受信したフレームの次の１フレームにおいては、ゲート回路群１４０６ａを構成する４つのＡＮＤ回路は、表示メモリ１４０４から読み出される表示データにかかわらず、閉じる構成となっている。
【００４２】
また、１列分の検出回路１４０６ｂは、４つのＥＸ−ＯＲ回路からなり、その列に対応するゲート回路群１４０６ａの４つのＡＮＤ回路による各出力信号と、４行の各々に対応する極性データＰＳ１〜ＰＳ４との一致・不一致をそれぞれ検出する構成となっている。
【００４３】
ここで、本実施形態において、信号電極に印加すべき電圧は、例えば次のようにして定められる。すなわち、第１に、選択される走査電極に印加される選択電圧が正極性（Ｖ３）であれば「１」とし、負極性（−Ｖ３）であれば「−１」とする一方、画素の表示がオフであれば「−１」とし、オンであれば「１」とし、第２に、同時選択される４本の走査電極と交差する４個の画素についてそれぞれ対比して、不一致数を求め、第３に、不一致数が「４」であれば電圧Ｖ２を、「３」であれば電圧Ｖ１を、「２」であれば電圧Ｖｃを、「１」であれば電圧−Ｖ１を、「０」であれば電圧−Ｖ２を、それぞれ当該信号電極に印加する信号電圧として設定する。このため、検出回路１４０６ｂによって、同時に選択される４本の走査電極に印加される選択電圧の極性データと、これらの走査電極と交差する４個の画素に対応する表示データとの一致・不一致が４つのＥＸ−ＯＲ回路によって求められているのである。したがって、１列分でみれば、一致・不一致を示す４ビットのデータが検出回路１４０６ｂから出力されることになる。そこで、説明の便宜上、１列ついての４ビットの一致・不一致データを、信号電極Ｘ１〜Ｘｎの各列に対応して、ｄ１〜ｄｎと表記することとする。
【００４４】
さて、デコーダ１４０６ｃは、一致・不一致を示すデータｄ１〜ｄｎのそれぞれにおいて不一致数を求めて、その不一致数に対応する電圧Ｖ２、Ｖ１、Ｖｃ、−Ｖ１または−Ｖ２のいずれかの選択を指示する電圧選択信号を、レベルシフタに対して出力するものである。
【００４５】
次に、レベルシフタ１４０７は、デコーダ１４０６ｃによって出力される電圧選択信号の電圧振幅を拡大するものである。そして、セレクタ１４０８は、電圧振幅が拡大された電圧選択信号によって指示される電圧を、実際に選択して、対応する信号電極に印加するものである。
【００４６】
このような構成の信号電極駆動回路１４０によれば、各信号電極Ｘ１〜Ｘｎに印加される電圧波形が、静止画表示モード、動画表示モードのいずれの表示モードであっても、同時に選択される４本の走査電極の各極性と、その４本の走査電極と交差する４個の画素で表示内容とに応じて定められることとなる。なお、図５または図６における信号電極Ｘ１の電圧波形は、走査電極Ｙ１〜Ｙ８と交差する画素が、例えば、オン、オン、オン、オン、オン、オフ、オン、オンとするような場合の波形である。
【００４７】
＜表示モードの移行動作＞
次に、本実施形態における表示モードの移行動作について説明する。図７（ａ）は、静止画表示モードから動画表示モードへの移行動作を説明するためのタイミングチャートである。上述のように選択信号ＭＳがＬレベルである場合、図２におけるモード切替回路１８３０にあっては、分散用制御信号生成回路１８１４による制御信号が選択されるので、表示モードは静止画表示モードとなる。また、分散用制御信号生成回路１８１４による開始パルスＹＤ１が、静止画表示モードにおいて各フレームの最初を規定する開始パルスＹＤとして出力される。ここで、静止画表示モードにおいて、モードセット回路１８２０が信号ｍｏｄｅを受信すると、信号ＯＦＦは、その次の１フレームにおいてＬレベルとなる。このため、当該１フレームにおいて、図４において各列に対応するゲート回路１４０６ａのすべては、表示メモリ１４０４から読み出された表示データａ１〜ａｎにかかわらず閉じるので、各列に対応する検出回路１４０６ｂは、オフ表示画素に相当する表示データと極性データＰＳ１〜ＰＳ４との一致・不一致を検出することになる。したがって、当該１フレームにおいて信号電極Ｘ１〜Ｘｎに印加される信号電圧は、表示データａ１〜ａｎとは無関係に、オフ表示のものとなる。
【００４８】
次に、当該１フレームが終了した時点において、図２におけるモードセット回路１８２０は、選択信号ＭＳをＨレベルに遷移させるので、モード切替回路１８３０にあっては、非分散用制御信号生成回路１８１６による制御信号が選択される結果、表示モードは動画表示モードに移行する。また、選択信号ＭＳの立ち上がりによって、非分散用制御信号生成回路１８１６は、強制的に１フレームの先頭とするリセットを行うので、今度は、開始パルスＹＤ２が、動画表示モードにおいて各フレームの最初を規定する開始パルスＹＤとして出力される。
【００４９】
このように、信号ｍｏｄｅを受信すると、直ちに表示モードを切り替えるのではなく、オフ表示の信号電圧を信号電極Ｘ１〜Ｘｎに１フレームだけ印加した後に切り替えているので、表示モードに切替に伴う表示の乱れが未然に防止されることとなる。また、静止画表示モードにおける１フレーム期間１Ｈａは、動画表示モードにおける１フレーム期間１Ｈｂよりも長く設定されているので、駆動周波数も低くなる。このため、駆動周波数に起因して各駆動回路において消費される電力も低く抑えられる。
【００５０】
なお、動画表示モードから静止画表示モードへの移行動作については、図７（ｂ）に示される通りである。すなわち、動画表示モードにおいて信号ｍｏｄｅを受信すると、その次の１フレームにおいて信号ＯＦＦがＬレベルになるとともに、当該１フレームが終了した時点において、選択信号ＭＳがＬレベルに遷移して、以後、静止画表示モードに移行することとなる。
【００５１】
このように本実施形態によれば、表示モードが静止画表示モードである場合には、選択電圧として用いられる電圧Ｖ３または−Ｖ３が１フレーム期間において時間的に分散されて印加されるので、１フレームにおいて１回だけ選択を行う従来方法と比較して非選択期間が短い。このため、オン表示画素の輝度変動が少なくなるので、コントラストの低下が防止される。さらに、静止画表示モードで静止画を表示する場合、各フレームにおける表示内容が互いに同じとなるから、ある信号電極に印加される電圧実効値の変動は各フレームにおいて互いに等しくなる。このため、画素の輝度変化は、その信号電極と交差する画素にわたって互いに等しくなるので、輝度ムラが抑えられることなる。一方、表示モードが動画表示モードである場合には、選択電圧として用いられる電圧Ｖ３または−Ｖ３が１フレーム期間において時間的に集約されて印加される。ここで、動画表示モードで動画を表示する場合、各フレームにおける表示内容が互いに異なるから、ある信号電極に印加される電圧実効値の変動は各フレームにおいて互いに異なるが、非選択期間における画素の輝度は、どの画素においても一様に変化するので、輝度ムラが抑えられることとなる。
【００５２】
また、上述した実施形態では、走査電極駆動回路１２０および信号電極駆動回路１４０においては、表示動作モードの変更に必要な構成は特別に付加されておらず、ただ、制御回路１８０が表示モードにしたがって制御信号を切り替えるだけであるので、簡易な構成で済むという利点もある。
【００５３】
なお、上述した実施形態にあっては、同時駆動する走査電極の数を「４」としたが、本発明はこれに限られず、「２」以上の整数であれば何でも良い。また、実施形態にあっては、静止画表示モードにおける１フレームの周期を、動画表示モードにおける１フレームの周期よりも長くなるように設定したが、特に、低消費電力が要求されない用途であれば、同じ周期としても良い。こうすることで、１つの分周回路で済み、静止画表示モードと動画表示モードのフレームの切り替りのタイミングを合せることも出来るので構成が簡略化される。
【００５４】
また、上述した実施形態にあっては、動きのない画像を表示する場合を、静止画表示モードとしたが、動きが少ない場合、すなわち、相隣接するフレームにおいて表示内容の変更が少ない場合についても静止画モードとしても良い。
【００５５】
さらに、上述した実施形態にあっては、信号ｍｏｄｅは、表示データＤＡＴＡを供給するＣＰＵ１７０が出力する構成としたが、これは、表示データＤＡＴＡを書き替える主体がＣＰＵ１７０であって、表示内容を知り得る立場にあるからである。ただし、本発明にあっては、これに限られず、信号ｍｏｄｅは、表示メモリ１４０４の記憶内容が１フレーム毎に書き替えられているか否かを検出する構成を別途設けて、この構成により供給される構成としても良いし、スイッチ等を別途設けてユーザの操作によって供給される構成としても良い。
【００５６】
くわえて、信号ＯＦＦがＬレベルとなる期間は、移行前の表示モードにおける１フレームとしたが、移行後の表示モードの１フレームとしても良いし、２フレーム以上としても良い。さらに、表示が一瞬の乱れても構わないのであれば、信号ＯＦＦをＬレベルとすることなく、信号ｍｏｄｅの受信によって直ちに表示モードを移行する構成としても良い。
【００５７】
また、表示モードを切り替えるとき、信号ｍｏｄｅの受信後における次の１フレーム期間の表示をオフにするのを、オン表示としたり、印加電圧をＶｃとする構成にしても良い。
【００５８】
＜電子機器＞
次に、上述した電気光学装置を携帯型電子機器に適用する場合について説明する。この場合、電子機器は、図８に示されるように、主に、表示情報出力源１０００、表示情報処理回路１００２、駆動回路１００４、液晶パネル１００、クロック発生回路１００８並びに電源回路１０１０を備えて構成される。このうち、表示情報出力源１０００は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などのメモリや、光ディスク装置などのストレージユニット、画像信号を同調して出力する同調回路等を含み、クロック発生回路１００８からのクロック信号に基づいて、所定フォーマットの画像信号などの表示情報を表示情報処理回路１００２に出力するものであり、上述したＣＰＵ１７０に相当する構成である。
【００５９】
また、表示情報処理回路１００２は、図１における制御回路１８０を含む上位構成であり、さらに、シリアル−パラレル変換回路や、増幅・極性反転回路、ローテーション回路、ガンマ補正回路、クランプ回路等の周知の各種処理回路などを含んで、クロック信号に基づいて入力された表示情報からデジタル信号を順次生成し、クロック信号ＣＬＫなどのタイミング信号や制御信号とともに駆動回路１００４に出力する。さらに、駆動回路１００４は、上述した走査電極駆動回路１２０や、信号電極駆動回路１４０などに相当し、さらに、製造過程において検査に用いる検査回路などを含んだものである。電源回路１０１０は、各回路に所定の電源を供給するものであり、ここでは、上述した電源回路１９０も含む概念のものである。
【００６０】
＜携帯電話＞
次に、上述した表示装置を携帯電話に適用した例について説明する。図９は、この携帯電話の構成を示す斜視図である。図において、携帯電話１３００は、複数の操作ボタン１３０２のほか、受話口１３０４、送話口１３０６とともに、液晶パネル１００を備えるものである。この液晶パネル１００では、文字や記号などを静止状態で表示する場合には、静止画表示モードで表示が行われる一方、動画を表示する場合や、スクロール表示する場合などでは動画表示モードで表示が行われることとなる。これにより静止画表示モードでは高コントラストの表示が行われる一方、動画表示モードでは、輝度ムラのない表示が行われることとなる。
【００６１】
なお、本実施形態に係る表示装置を適用する電子機器としては、上述した携帯電話のほか、ページャ、時計、ＰＤＡ（個人向け情報端末）などが好適である。ただし、この他にも、液晶テレビや、ビューファインダ型、モニタ直視型のビデオテープレコーダ、カーナビゲーション装置、電卓、ワードプロセッサ、ワークステーション、テレビ電話、ＰＯＳ端末、タッチパネルを備えた機器等などにも適用可能である。
【００６２】
【発明の効果】
以上説明したように本発明によれば、表示装置において、動きのない、または、動きの少ない表示の場合には、高コントラストな表示が可能である一方、動きのある、または、動きの多い表示の場合には、輝度ムラの少ない表示が可能となる。
【図面の簡単な説明】
【図１】本発明の実施形態に係る液晶装置の電気的構成を示すブロック図である。
【図２】同液晶装置における制御回路の構成を示すブロック図である。
【図３】同液晶装置における走査電極駆動回路の構成を示すブロック図である。
【図４】同液晶装置における信号電極駆動回路の構成を示すブロック図である。
【図５】同液晶装置における静止画表示モードの動作を説明するためのタイミングチャートである。
【図６】同液晶装置における動画表示モードの動作を説明するためのタイミングチャートである。
【図７】（ａ）および（ｂ）は、それぞれ同液晶装置においてモードの移行時の動作を説明するためのタイミングチャートである。
【図８】実施形態に係る電気光学装置を適用した電子機器の概略構成を示すブロック図である。
【図９】同電気光学装置を適用した電子機器の一例たる携帯電話の構成を示す斜視図である。
【符号の説明】
１００……液晶パネル
１２０……走査電極駆動回路
１４０……信号電極駆動回路
１７０……ＣＰＵ
１８０……制御回路
１９０……電源回路
１８１４……分散用制御信号生成回路
１８１６……非分散用制御信号生成回路
Ｘ１〜Ｘｎ……信号電極
Ｙ１〜Ｙｍ……走査電極
【図１】
0003624738.tif 000002
【図２】
0003624738.tif 000003
【図３】
0003624738.tif 000004
【図４】
0003624738.tif 000005
【図５】
0003624738.tif 000006
【図６】
0003624738.tif 000007
【図７】
0003624738.tif 000008
【図８】
0003624738.tif 000009
【図９】
0003624738.tif 000010